(57)【要約】【課題】過剰施肥による水質汚濁を低減し、かつ樹木の成長に必要な土壌の通気性、排水性を容易に向上させる植生管及び植生管の施工方法を提供すること目的とする。【解決手段】生分解性樹脂と微量要素とからなる材料により形成され、側面に多数の孔が設けられたことを特徴とする植生管。【選択図】　図１
2004115322.tif 000002
【特許請求の範囲】
【請求項１】
生分解性樹脂と微量要素とからなる材料により形成され、側面に多数の孔が設けられたことを特徴とする植生管。
【請求項２】
材料中に無機系肥料成分又は有機系肥料成分を含有することを特徴とする請求項１記載の植生管。
【請求項３】
生分解性樹脂を主成分とする材料により形成された植生管の施工時に用いられる施工治具であって、植生管への差し込み用の棒状部分と留め具とからなることを特徴とする植生管施工治具。
【請求項４】
請求項３記載の植生管施工治具を植生管に差し込み、当該施工治具の上部留め具に衝撃を加えて土中に埋設した後、当該施工治具を引き抜くことを特徴とする植生管の施工方法。
【請求項５】
請求項４記載の植生管の施工方法において、施工後の植生管内に、充填材を充填することを特徴とする植生管の施工方法。
【発明の詳細な説明】
【０００１】
【発明の属する技術分野】
本発明は、果樹園、茶畑などの植生を促す資材である植生管、その施工治具、及び施工方法に関する。
【０００２】
【従来の技術】
従来、果樹園、茶畑などの植生を促すために、作物の根にしっかりと肥料を与えるべく、雨や風などによる流失を想定して過剰に施肥が行われており、その結果、地下水や農業排水に大量の窒素やリンが含まれることとなり、水質汚濁の原因とされている。
【０００３】
これらの問題を解決する方法として、例えば、特開平７−３３５７６号公報、特開平７−３３５７７号公報、特開平９−２６３４７６号公報などに記載のように、粒状肥料を生分解性樹脂等によって被覆して肥料を徐々に溶出させる緩効性肥料が提案されている。さらに、特開平７−２０６５６５号公報には、粒状の肥料の表面に粉状の微量要素を高透湿性のバインダー（皮膜）で固着させた微量要素含有被覆粒状肥料が提案されており、特に、施用初期の該要素の吸収率を高め欠乏症を回避し、また肥料成分を微量要素成分と共存させることで植物根を誘引し密度を高め、微量要素の吸収効率を高め溶脱量（植物に吸収されず下層へ流出する量）を抑制できるとしている。
【０００４】
しかしながら、これらの肥料は粒状であり、また軽量であるため風雨による流亡があり、さらに薄膜で被覆しているため、溶出の微妙な制御が困難であるといった問題があった。また、長期に渡り肥効を持続させる被覆肥料は生分解性樹脂被膜ではないため、被膜が土中に残存するといった問題もあった。
【０００５】
また、上記粒状被覆肥料では、一般に、内包した肥料が水分に溶解してしみ出るといった溶出パターンであるため、水に難溶性の有機質肥料成分は含まれず、無機肥料成分のみが用いられている。そのため、有機質肥料を好む作物を栽培する場合には別途施肥が必要となり、作業の省力化が不充分であるという欠点がある。
【０００６】
さらに、樹木を育成する農地や公園、森林においては、時間が経過するにつれて土壌が締まり、通気性、排水性が悪くなって樹木が成長しにくくなってしまうため、定期的に土壌を掘り起こし、土壌中に酸素を供給するとともに排水性を改善させるといった作業が必要不可欠となっていた。しかしながらこれらの作業は多大な時間と労力を必要とするものであり、農業従事者人口の減少や高齢化の進む現在においては、非常に非効率的である。
【０００７】
この問題を解決する手段として、砂、細石、バラ石、砕石などを筒状の網袋に収納したドレーン材を埋設するといった方法が行われているが、この方法でも施工作業は大がかりなものとなり、また、果樹園のように樹木を密に大量に植える場合には実施不可能であった。
【０００８】
【発明が解決しようとする課題】
本発明は、過剰施肥による水質汚濁を低減し、かつ樹木の成長に必要な土壌の通気性、排水性を容易に向上させる植生管及び植生管の施工方法を提供すること目的とする。
【０００９】
【課題を解決するための手段】
上記目的を達成するために、本発明は次のような構成としている。
請求項１は、生分解性樹脂と微量要素とからなる材料により形成され、側面に多数の孔が設けられたことを特徴とする植生管である。
【００１０】
上記生分解性樹脂としては、生分解性を有するものであればどのようなものでも良く、脂肪族ポリエステル、ポリアミノ酸、ポリアミド／ポリエステル共重合体、ポリペプチド、リグニン、セルロースからなる少なくとも一つの樹脂もしくはこれらの誘導体等が挙げられる。
【００１１】
上記脂肪族ポリエステルとしては特に限定されず、例えば、グリコールと脂肪族ジカルボン酸との重縮合などにより得られるポリエチレンサクシネ−ト、ポリブチレンサクシネ−ト、ポリヘキサメチレンサクシネ−ト、ポリエチレンアジペ−ト、ポリヘキサメチレンアジペ−ト、ポリブチレンアジペ−ト、ポリエチレンオキザレ−ト、ポリブチレンオキザレ−ト、ポリネオペンチルオキザレ−ト、ポリエチレンセバケ−ト、ポリブチレンセバケ−ト、ポリヘキサメチレンセバケ−トなどが挙げられる。これらは２種類あるいはそれ以上の共重合体であってもよく、また、生分解性を損なわない限りで、芳香族ポリエステルも共重合させることができる。
【００１２】
また、ポリグリコ−ル酸やポリ乳酸などのようなポリ（α−ヒドロキシ酸）またはこれらの共重合体、ポリ（ε−カプロラクトン）やポリ（β−プロピオラクトン）のようなポリ（ω−ヒドロキシアルカノエ−ト）、ポリ（３−ヒドロキシブチレ−ト）、ポリ（３−ヒドロキシバリレ−ト）、ポリ（３−ヒドロキシカプロレ−ト）、ポリ（３−ヒドロキシヘプタノエ−ト）、ポリ（３−ヒドロキシオクタノエ−ト）のようなポリ（β−ヒドロキシアルカノエ−ト）とポリ（４−ヒドロキシブチレ−ト）などの脂肪族ポリエステルを用いることもできる。
【００１３】
市販の脂肪族ポリエステルとしては、例えば、ラクティ（島津製作所社製）、レイシア（三井化学社製）、ネイチャーワークス（Ｎａｔｕｒｅ−ｗｏｒｋｓ）（カーギルダウ社製）、テラマック（ユニチカ社製）、ビオノーレ（昭和高分子社製）、エコフレックス（ｅｃｏｆｌｅｘ）（ＢＡＳＦ社製）、バイオマックス（Ｂｉｏｍａｘ）　（ｄｕＰｏｎｔ社製）、イースターバイオ（ＥａｓｔｅｒＢｉｏ）（Ｅａｓｔｍａｎ　Ｃｈｅｍｉｄａｌ社製）、　エンポル（Ｅｎｐｏｌ）　（ＩｒｅＣｈｅｍｉｃａｌ社製）、セルグリーン（ダイセル化学社製）、ルナーレ（日本触媒社製）、ビオグリーン（三菱ガス化学社製）等が挙げられる。
【００１４】
また、上記ポリアミドとしては特に限定されず、例えば、ポリアスパラギン酸、ポリγ−グルタミン酸、ポリ（ε−リジン）等のポリアミノ酸、セルロース類としてはバクテリアセルロース、酢酸セルロース、キチン、キトサン、β−１，３−グルカン等が挙げられ、また、その他にもカゼイン、コラーゲン、大豆タンパク、小麦タンパクなどの天然タンパク質が挙げられる。
【００１５】
上記生分解性樹脂には、当初の強度、耐水性、耐久性（生分解性速度）をコントロ−ルする為に、他の材料例えば、生分解性を有する木、紙、植物繊維、動物繊維を適当量、ブレンドしても良い。
【００１６】
本発明の植生管においては、上記微量要素を含有するため、長期間の肥効の発現や溶出量の制御が可能であり、植物に効果的に微量要素を供給することができる。
上記微量要素としては特に限定されず、例えば、モリブデン、銅、亜鉛、マンガン、鉄、ホウ素、塩素、硫黄、カルシウム、マグネシウム、ケイ素、アルミニウム、ランタンなどのレアメタル等が挙げられ、それらの水和物、酸化物、硫酸塩、硝酸塩、アンモニウム塩等の化合物やキレート化合物の形態でも用いられる。
【００１７】
上記微量要素の添加量は、上記生分解性樹脂１００重量部に対して０．００１〜４０重量部が好ましく、より好ましくは０．０１〜２０重量部である。
【００１８】
請求項２は、材料中に無機系肥料成分又は有機系肥料成分を含有することを特徴とする請求項１記載の植生管である。本発明においては、上記材料中の生分解性樹脂の分解に伴って、緩効性の有機質肥料成分が放出されるため、施工後長期間経過してからの肥効が発現でき、さらに速効性の無機肥料成分をも含有させることにより、長期に渡り肥効を持続させることができるため、施肥作業の省力化が可能となる。
【００１９】
上記無機系肥料成分としては、窒素、リン、カリウム、マグネシウム、マンガン、ホウ素、可溶性ケイ酸等を含有する一般的に利用されるものが適用出来る。例えば、窒素を含有する肥料としては硫酸アンモニウム、塩化アンモニウム、硝酸アンモニア、硝酸苦土、硝酸アンモニアソ−ダ、硝酸アンモニア石灰肥料、硝酸ソーダ、硝酸石灰、尿素、オキサミド、石灰窒素、硫酸グアニル尿素等が挙げられる。
【００２０】
上記リンを含有する肥料としては、例えば、過リン酸石灰、重過リン酸石灰、焼成リン肥、溶性リン肥、腐食酸リン肥、リン酸マグネシウムアンモニウム、ヒドロキシアパタイト等が挙げられる。
【００２１】
上記カリウムを含有する肥料としては、例えば、硫酸カリウム、塩化カリウム、重炭酸カリウム、珪酸カリウム、腐植酸カリウム肥料等が挙げられる。
上記マグネシウムを含有する肥料としては、例えば、硫酸苦土肥料、水酸化苦土肥料、酢酸苦土肥料、腐植酸苦土肥料等が挙げられる。
【００２２】
上記マンガンを含有する肥料としては、例えば、硫酸マンガン肥料、炭酸マンガン肥料、鉱滓マンガン肥料等が、ホウ素肥料としてはホウ酸塩肥料、ホウ酸肥料等が挙げられ、これらの加工肥料、各種混合肥料が利用されうる。
これら肥料成分の添加量としては成形性に影響を与えない程度であればいくらでも良いが、生分解性樹脂に対して０．１〜５重量部が好ましい。
【００２３】
上記有機系肥料としては、窒素、リン、カリウム等を含有する一般的に利用されるものが適用出来る。例えば、油カス、魚カス、骨粉、大豆カス、豆腐カス、草木灰、乾燥鶏糞、発酵鶏糞、たんぱく質製剤、ビタミン製剤、アミノ酸等が挙げられる。
【００２４】
本発明の生分解性樹脂と微量要素とからなる材料については、その成形加工性を上げるために、可塑剤、滑剤、酸化防止剤等の各種添加剤を添加しても良い。上記可塑剤としては特に限定されず、フタル酸、セバシン酸、クエン酸、リン酸等のエステル、エポキシ化大豆油等が挙げられる。
【００２５】
上記滑剤としては特に限定されず、例えば、ステアリン酸、オレイン酸、ベヘニン酸等の脂肪酸、ステアリン酸カルシウム、ヒドロキシステアリン酸カルシウム等の脂肪族金属塩、オレイン酸アミド、ステアリン酸アミド、ラウリン酸アミド、パルミチン酸アミド、ベヘニン酸アミド、リシノ−ル酸アミド等の脂肪族アミド、アルキル変性シリコ−ン、ポリエ−テル変性シリコ−ン、高級脂肪酸変性シリコ−ン、高級脂肪酸エステル変性シリコ−ン、パラフィン等が挙げられる。上記滑剤の添加量は、生分解性樹脂１００重量部に対して５重量部以下が好ましい。
【００２６】
上記酸化防止剤としては特に限定されず、例えば、２，６−ジ−ｔ−ブチル−ｐ−クレゾ−ル、２，２’−メチレンビス（４−メチル−６−ｔ−ブチルフェノ−ル）、４．４’−ブチリデンビス（３−メチル−６−ｔ−ブチルフェノ−ル）、ペンタエリスリチル−テトラキス［３−（３，５−ジ−ｔ−ブチル−４−ヒドロキシフェニル）プロピオネ−ト］、ビス［３，３’−ビス−（４’−ヒドロキシ−３’−ｔ−ブチルフェニル）ブチリックアシッド］グリコ−ルエステル、３，９−ビス［２−〔３−（３−ｔ−ブチル−４−ヒドロキシ−５−メチルフェニル）プロピオニルオキシ〕−１−ジメチルエチル］−２，４，８，１０−テトラオキサスピロ［５，５］ウンデカン等のフェノ−ル系、及び、３，５−ジ−ｔ−ブチル−４−ヒドロキシベンジルホスホネ−ト−ジエチルエステル、ジフェニルイソデシルホスファイト、トリス（２，４−ジ−ｔ−ブチルフェニル）ホスファイト、サイクリックネオペンタンテトライルビス（２，６−ジ−ｔ−ブチル−４−メチルフェニル）ホスファイト等のリン系又は食品用酸化防止剤として使用され、ビタミンＣ、ビタミンＥ等が挙げられる。
【００２７】
上記酸化防止剤の添加量は生分解性樹脂に対して１０重量部以下が好ましく、より好ましくは３重量部以下である。また、必要に応じてグリセリン脂肪酸エステル、ポリグリセリン脂肪酸エステル、ジ−２−エチルへキシルアゼレ−ト等の界面活性剤、顔料、光安定剤等を添加しても良い。
【００２８】
上記光安定剤としては特に限定はなく、光遮蔽効果のあるカーボンやフェニルサリシレートのようなサリチル酸系、２−ヒドロキシベンゾフェノンのようなベンゾフェノン系、Ｎ−２−ヒドロキシフェニルベンゾトリアゾールのような、ベンゾトリアゾール系等の紫外線吸収剤やヒンダードアミン系の光安定剤が用いられる。
【００２９】
本発明による植生管は、管形状であり強度が大きいため土中への打ち込みが容易で、土中への削孔なしでも深層への施肥が可能である。さらに、樹木の根付近に施工することにより、土中の根に直接施肥することができるため、肥料成分の地下浸透によるロスを少なくすることができ、結果として、肥料成分の河川や地下水への流出を抑え、環境汚染を低減することが可能となる。
上記植生管の管の断面形状としては特に限定はなく、例えば、断面が円形、楕円、正方形、長方形、三角形、星形等のものを利用することが出来る。成形性、強度を考慮すると円形が好ましい。
【００３０】
上記植生管の管の径は特に限定されるものではなく、一般的に成形されている口径のもので、直径１０〜５０ｍｍのものが好ましく、管の延長方向で直径が一様なものが利用されるが、打ち込み等を利用し施工性を上げるために末端側が円錐状に絞った形状、又は管途中の口径を絞ったものが良い。
【００３１】
本発明の植生管の側面に設ける孔の形状は特に限定されず、丸、楕円、スリット状等が挙げられ、径の大きさも特に限定されないが、例えば、丸状の場合は直径が２〜１０ｍｍ程度のものが、通水性、根の浸入等の点で好ましく、例えば、図１に示したように、植生管１に孔２を多数配置することが出来る。
【００３２】
上記植生管を成形する方法としては特に限定されず、例えば、公知の押出成形により成形することが出来る。成形の条件は、生分解性樹脂の物性により決定され、ポリ乳酸等の脂肪族ポリエステル、ポリブチレンサクシネ−ト及びこのアジペ−ト、テレフタレ−ト変性品、ポリカプロラクトン等の熱可塑性の生分解性樹脂の場合には、加熱溶融押出によりパイプ成形することが出来る。
【００３３】
請求項３は、生分解性樹脂を主成分とする材料により形成された植生管の施工時に用いられる施工治具であって、植生管への差し込み用の棒状部分と留め具とからなることを特徴とする植生管施工治具である。
【００３４】
上記植生管施工治具の形状は特に限定されないが、施工の際に管内に土が入るのを防ぐため、施工する植生管の内径と同等から１ｍｍ程度小さい寸法を持つ棒状のものが好ましく、下部先端は土中に埋め込み易いような形状に加工しておくのが好ましい（図２〜４）。また、当該先端の形状は特に限定されず、円錐型、多角錐型、スクリュー型等の尖った形状が挙げられるが、加工の容易さを考えて、単に棒を斜めに切断したものでも良い。なお、棒状部分の長さは、埋め込み時の土の抵抗や管内への土の侵入を考慮して、施工する植生管よりも１〜１０ｃｍ程度長いものが好ましい。
【００３５】
また、上記植生管施工治具の上部に取り付ける留め具としては特に限定されず、当該施工治具全体が管内に入り込んでしまわないような形状で、施工の際に打ち込みやすく、且つ引き抜きやすいような形状であればどのような形状でも良く、丸型、楕円型、多角形型の板材、角材等が挙げられる（図２〜４）。さらに、図２に示すように、当該留め具の上面及び下面にゴム等の衝撃緩和材を取り付けても良く、また、図４に示すように、打ち込みの際に邪魔とならない程度に、引き抜き用の取っ手などを取り付けても良い。
【００３６】
上記植生管施工治具の材質としては特に限定されず、金属、プラスチック、木、セラミック、コンクリート等が挙げられるが、強度、重量、加工の容易さ、価格などを考慮すると金属材料が好ましく、中でも安価で錆びにくいステンレスが特に好ましい。また、上記留め具の上面及び下面に取り付ける衝撃緩和材としてはゴム、軟質プラスチック、スポンジ等が挙げられる。
【００３７】
請求項４は、請求項３記載の植生管施工治具を植生管に差し込み、当該施工治具の上部留め具に衝撃を加えて土中に埋設した後、当該施工治具を引き抜くことを特徴とする植生管の施工方法である。図５〜７に、当該植生管の施工方法の一例を示す。
【００３８】
上記植生管の施工方法において、施工時の打ち込み方法としては特に限定されないが、金づち、木づち、ハンマーなどで上部留め具に衝撃を与えて打ち込んでもよいし、空気圧、油圧などの機械的加圧手段を用いてもよく、また、柔らかい土壌であれば、足で踏みつけて施工することもできる。
【００３９】
請求項５は、請求項４記載の植生管の施工方法において、施工後の植生管内に、充填材を充填することを特徴とする植生管の施工方法である。図８に、当該植生管の施工方法の一例を示す。
【００４０】
上記充填材としては、植生管埋設後に通気性を妨げず、また雨水などにより、管側面に設けられた孔から土、砂等が管内へ流入するのを少しでも妨げられるものなら特に限定されず、例えば、稲わら、麦わら、もみ殻、おがくず、バークなどの有機質資材等が挙げられる。
【００４１】
本発明の植生管を使用し植生する樹木としては特に限定されず、植生する地域、斜度等によって適時選定すれば良いが、早期に強固な植生を実現するには一般的には法面斜度に応じてなるべく樹高の低い苗木から序々に高木の苗木を植生するのが好ましい。
【００４２】
上記樹高の低い植物としては例えば、樹高が５ｍまでのオオバクロモジ、ノリウツギ、マルバシャリンバイ、イタチハギ、エニシダ、コマツナギ、ハナズオウ、ヤマハギ、コマユミ、マサキ、マユミ、フヨウ、ムクゲ、ハマヒサカキ、アキグミ、ムラサキシキブ、ガマズミ、タニウツギ、ソメイヨシノ等が挙げられる。
【００４３】
【発明の実施の形態】
本発明を実施例及び比較例により以下、詳細説明する。
（実施例；植生管１の作成）
生分解性樹脂としてポリブチレンサクシネートアジペート（商品名：ＥｎｐｏｌＧ５３００、ＩｒｅＣｈｅｍｉｃａｌ社製）と、微量要素として硫酸マグネシウムを当該樹脂に適当な比率で混合したものとを、それぞれ別のフィーダーに入れ、それぞれ投入速度を調整し重量比でおよそ樹脂：硫酸マグネシウム＝９９．５：０．５になるように単軸押出機のホッパーにそれぞれ同時に供給した。シリンダ温度１００〜１２０℃で加熱混練後、１２０〜１３０℃に加熱した金型より押し出し、減圧冷却装置で固化させながら引き取り、外径２２ｍｍ、内径１８ｍｍの円筒状パイプを得た。得られたパイプをバンドソーで２０ｃｍの長さにカットし、ボール盤で管側面に直径３．５ｍｍの孔を多数開けて植生管を得た。
【００４４】
（植生木の生育の評価−１）
前年の秋（落葉前）までに、ホウ素欠乏症状が比較的顕著に現れていた果樹園において、任意にリンゴ樹木９本を選択した。なお、各樹木は互いの肥料の影響が現れない程度十分に距離をおいたものをそれぞれ撰んだ。選択した９本のうち任意に３本ずつ、普通肥料のみを施用した無処理区と、普通肥料および植生管１を施用した植生管施用区、普通肥料およびホウ素肥料（ホウ素重量にして植生管１に含まれるのと同量）を施用した微量要素肥料施用区とに分け、処理区には根元（中心から樹冠の端までを半径とした円周上）に３０ｃｍ間隔に１本ずつ、植生管１を打ち込み、その効果を観察した。なお、施用は２月に行った。この結果を表１に示した。
【００４５】
【表１】
2004115322.tif 000003
【００４６】
表１から明らかなように、無処理区で葉色が退化（欠乏症）していたのに対し、植生管および微量要素肥料を施用した区では、収穫時までには欠乏症が回避されていた。植生管施用区は微量要素肥料施用と同等の効果を示した。
【００４７】
（植生木の生育の評価−２）
ホウ素欠乏の症状の出た畑地の土を採取し、プランター（２０×９０ｃｍ）において、コマツナ、シソを栽培した。コマツナとシソいずれにも３つずつプランターを用意し、普通肥料のみ施用した無処理区、普通肥料に加え植生管１を施用した植生管施用区、およびホウ砂を施用した区を微量要素施用区とした。
シソは苗を株間２０ｃｍ間隔に定植した。コマツナは筋蒔きして適宜間引きし最終的に６ｃｍ間隔になるように調整した。コマツナは１ヵ月後、シソは２ヵ月後に収穫し、葉色の変化を観察した。この結果を表２に示した。
【００４８】
【表２】
2004115322.tif 000004
【００４９】
表２から明らかなように、コマツナにおいては、無処理区では大部分の株が欠乏症で正常な生育が出来なかったのに対し、植生管１および微量要素肥料施用区では正常生育をしているものが多かった。またシソでは、植生管施用区の大部分が正常生育しているのに対し、微量要素肥料施用区では過剰症が生じており、生育が困難であった。このように、微量要素肥料は短期的な補足効果はあるが過剰害を引き起こす傾向があり、逆に植生管は害を与えにくく、長期に有効である。
【００５０】
（植生管２の作成）
有機肥料成分として油かす、魚粉、骨粉、無機肥料成分として硫酸アンモニウム、硫酸カリウムを混合させた肥料と、生分解性樹脂としてポリブチレンサクシネートアジペート（商品名：ＥｎｐｏｌＧ５３００、ＩｒｅＣｈｅｍｉｃａｌ社製）とを、それぞれ別のフィーダーに入れ、そのフィーダーから単軸押出機のホッパーにそれぞれ同時に供給した以外は、植生管１と同様の方法で成形、加工して植生管を得た。
【００５１】
（植生管３の作成）
生分解性樹脂として、ポリブチレンサクシネートアジペート（商品名：ＥｎｐｏｌＧ５３００、ＩｒｅＣｈｅｍｉｃａｌ社製）２０ｋｇを単軸押出機（ＩＫＥＧＡＩ）のホッパーに供給した以外は、植生管１と同様の方法で成形、加工して植生管を得た。
【００５２】
（植生管の評価）
（実施例１）
茶を栽培する畑の一角（１ｍ２）に試験用の場所を設け、植生管２（窒素全量５．２％）８本（総重量４００ｇ）を請求項記載の方法で施工した。２週間おきに土中の全窒素濃度をケルダール窒素法により、土壌中の酸素濃度を土中酸素濃度計（大起理化工業社製）によりそれぞれ測定した。
【００５３】
（比較例１）
植生管２の作成で調整した混合肥料（窒素全量１３％）１６０ｇを土壌表面に均一に撒いた。実施例１と同様にして、全窒素濃度と酸素濃度をそれぞれ測定した。
【００５４】
（比較例２）
生分解性樹脂によりコーティングされた市販の被覆肥料（約７０日用・窒素全量２０％）１００ｇを使用した以外は、比較例１と同様の方法で施肥し、測定を行った。
【００５５】
（比較例３）
生分解樹脂のみからなる植生管３の８本を用いたこと以外は、実施例１と同様方法で施工し、測定を行った。
【００５６】
実施例１及び比較例１〜３について、土中の全窒素濃度を測定した結果を表３に、土中の酸素濃度を測定した結果を表４に示した。
【００５７】
【表３】
2004115322.tif 000005
【００５８】
【表４】
2004115322.tif 000006
【００５９】
表３及び４から明らかなように、本発明における有機質肥料成分と無機肥料成分を含む植生管を用いることにより、肥効を長時間持続させることができることがわかる。
【発明の効果】
以上のように、本発明の植生管を用いることにより、窒素化合物やリン化合物などの肥料成分の流出による河川や地下水の汚濁を低減することが可能である。また、本発明における施工治具及びそれを用いた施工方法によれば、多少硬い地盤にでも容易に植生管を施工することができ、樹木の成長に必要な土壌の通気性、排水性を改善し、その効果を持続させることができる。
【図面の簡単な説明】
【図１】本発明の植生管の外観を示す概略図である。
【図２】請求項３の植生管施工治具の外観を示す概略図である。
【図３】請求項３の植生管施工治具の外観を示す概略図である。
【図４】請求項３の植生管施工治具の外観を示す概略図である。
【図５】請求項４の植生管施工方法を示す概略図である。
【図６】請求項４の植生管施工方法を示す概略図である。
【図７】請求項４の植生管施工方法を示す概略図である。
【図８】請求項５の植生管施工方法を実施した状態を示す概略図である。
【符号の説明】
１　植生管
２　孔
３　留め具
４　衝撃緩和材
５　衝撃緩和材
６　取っ手
７　植生管
８　充填材
【図１】
2004115322.tif 000007
【図２】
2004115322.tif 000008
【図３】
2004115322.tif 000009
【図４】
2004115322.tif 000010
【図５】
2004115322.tif 000011
【図６】
2004115322.tif 000012
【図７】
2004115322.tif 000013
【図８】
2004115322.tif 000014